(57)【要約】【課題】衣服等の取付対象を挟み込むクリップの取り外し作用を簡単に行えるようにする。【解決手段】開成状態と閉止状態とを切り替え可能に構成され、名刺等のカード類や携帯電話用ストラップ等の取付品を衣服等の取付対象に取り付けるためのクリップ１を、閉止状態において衣服等の取付対象を挟み込む本体２と、前記本体の閉止状態を維持固定する固定部３と、前記固定部による前記本体の閉止状態を解除する機能を有する解除部４とを具備するようにするとともに、前記解除部４を前記固定部３と別に設けるようにした。【選択図】図３
2004033244.tif 000002
【特許請求の範囲】
【請求項１】
開成状態と閉止状態とを切り替え可能に構成され、名刺等のカード類や携帯電話用ストラップ等の取付品を衣服等の取付対象に取り付けるためのものであって、閉止状態において衣服等の取付対象を挟み込む本体と、前記本体の閉止状態を維持固定する固定部と、前記固定部による前記本体の閉止状態を解除する機能を有する解除部とを具備するとともに、前記解除部を前記固定部と別に設けていることを特徴とするクリップ。
【請求項２】
前記解除部を前記本体の縁部に設けていることを特徴とする請求項１記載のクリップ。
【請求項３】
前記解除部を前記本体の両側縁部に設けているとともに、この解除部を相寄るように操作することにより前記本体の閉止状態を解除するようにしていることを特徴とする請求項２記載のクリップ。
【請求項４】
前記本体の少なくとも一部を、弾性を有する移動板を用いて構成しているとともに、この移動板が自然状態において開成状態にあることを特徴とする請求項１、２、又は３記載のクリップ。
【請求項５】
前記固定部を、前記本体を閉止方向に押さえつける押さえ板と、前記本体の一部に設けられ、この押さえ板に係合する係合爪とにより構成していることを特徴とする請求項１、２、３、又は４記載のクリップ。
【請求項６】
前記解除部を、前記係合爪を前記押さえ板から解離させる機能を有するつまみを用いて構成していることを特徴とする請求５記載のクリップ。
【発明の詳細な説明】
【０００１】
【発明の属する技術分野】
本発明は、名刺等のカード類や携帯電話用ストラップ等の取付品を衣服等の取付対象に取り付けるためのクリップに関する。
【０００２】
【従来の技術】
従来、名刺等のカード類や携帯電話用ストラップ等の取付品を衣服等の取付対象に取り付けるためのクリップには、閉止状態を維持固定する固定部をばね等を介して結合された前後のクリップ要素を用いて構成し、この前後のクリップ要素により衣服等を挟み込む構造のものが広く用いられている。また、一方のクリップ要素を押さえる押さえ板を利用して閉止状態を維持固定する固定部を構成し、この押さえ板を厚さ方向に回転移動させて衣類等に固定する構造のものも広く用いられている。
【０００３】
【発明が解決しようとする課題】
しかし、これらのような構造を有するクリップは、どちらの構造においても取り外しの操作は固定部そのものを操作するようにしているので、クリップを押さえながら行う必要があり、取り外しの操作が複雑に感じられることがある。
【０００４】
本発明は以上に述べた課題を解決すべく、取り外しの操作を簡単なものにすべく構成したものである。
【０００５】
【課題を解決するための手段】
すなわち本発明に係るクリップは、開成状態と閉止状態とを切り替え可能に構成され、名刺等のカード類や携帯電話用ストラップ等の取付品を衣服等の取付対象に取り付けるためのものであって、閉止状態において衣服等の取付対象を挟み込む本体と、前記本体の閉止状態を維持固定する固定部と、前記固定部による前記本体の閉止状態を解除する機能を有する解除部とを具備するとともに、前記解除部を前記固定部と別に設けていることを特徴とする。
【０００６】
このようなものであれば、前記固定部と前記解除部とを別体に構成しているので、前記解除部を操作する際にクリップを押さえながら行う必要がなくなり、取り外しの操作を簡単に行うようにすることができる。さらに、前記固定部と前記解除部とを別体に構成することにより、設計の自由度が高まり、机等にクリップが引っかかって取付品が外れてしまうことを防ぐ設計を実現しやすくできる。
【０００７】
このようなクリップの、取付品が外れてしまうことを防ぐ設計の一例として前記解除部を前記本体の縁部に設けているものを挙げることができる。このようなものであれば、解除部が机等に当たりにくいからである。
【０００８】
特に、クリップの取り外し操作をより簡単に行うことができるようにするには、前記解除部を前記本体の両側縁部に設けているとともに、この解除部を相寄るように操作することにより前記本体の閉止状態を解除するようにしているものであればよい。左右両側からこのようなクリップをつまむようにすると閉止状態を解除できるからである。
【０００９】
さらに簡単にクリップの取り外し操作を行うことができるようにするには、前記本体の少なくとも一部を、板ばねを用いて構成しているとともに、この板ばねが自然状態において開成状態にあるようにすればよい。解除部を操作することにより、クリップを板ばねの弾性により自然に開成状態にするようにできるからである。ここで、「自然状態」とは、外部から作用を受けていない状態を指す。
【００１０】
より効果的に閉止状態を維持固定できるようにするには、前記固定部を、前記本体を閉止方向に押さえつける押さえ板と、この押さえ板に係合する係合爪とにより構成しているものであればよい。固定部を本体と別体に構成しているからである。
【００１１】
このように固定部を構成したクリップにおいて、簡単な構造で本発明の効果を得るようにするには、前記解除部を、前記係合爪を前記押さえ板から解離させる機能を有するつまみを用いて構成すればよい。
【００１２】
【発明の実施の形態】
以下に本発明の一実施形態について述べる。
【００１３】
本実施形態に係るクリップ１は、正面図を図１、背面図を図２、閉止状態における側面図を図３、開成状態における側面図を図４、図３における中央縦断面図を図５、図４における中央縦断面図を図６、図１におけるａ−ａ断面図を図７に示すように、本体２と、押さえ板３１及び本体２の側方に設けられた係合爪３２を有する固定部３と、前記係合爪３２を前記押さえ板３１から解離させる機能を有する解除部たるつまみ４と、本体２に相対回転可能に取り付けられた取付品固定部５とを具備するものである。なお、名札取付部５は、図１〜図６では想像線により示している。図７では、取付品固定部５は省略して示している。
【００１４】
本体２は、図１〜図７に示すように、基板２１と、基板に取り付けられた弾性を有する移動板たる板ばね２２と、板ばね２２に取り付けられた取付板２３とを具備し、前記板ばね２２と前記取付板２３との間に取付品を挟み込むようにしている。より具体的には、基板２１は、先端部の閉止位置において前記取付板２３と対向する位置に円形の凹部を設けるとともに、この凹部の中央に基板側取付爪２１ａを設けていて、より効果的に取付対象に固定されるようにしている。一方、基端部には、前記板ばね２２を取り付けるための取付部２１ｂを設けている。板ばね２２は、１枚の弾性を有する金属板を折り曲げ、前記基板２１の取付部２１ｂに取り付けられる取付部２２ｂと、開成状態と閉止状態との間を移動可能に構成した移動板２２ａとを屈曲部２２ｃにより連結した形状にしたものである。この板ばね２２は、外部から作用を受けない自然状態では、開成状態にある。取付板２３は、本実施形態では円板状をなし、前記基板２１に対向する面に円状に取付板側取付爪２３ａを設け、より効果的に取付対象に固定されるようにしている。さらに、基板２１の基端部の左右両端縁からは、前記押さえ板３１を取り付けるための押さえ板取付部２１ｘを１対起立して設けるとともに、同じく基板２１の左右両端縁の前記押さえ板取付部２１ｘから所定距離離れた位置には、係合爪３２を取り付けるための係合爪取付部２１ｙを１対外側方に突出させて設けている。
【００１５】
取付品固定部５は、図１〜６に示すように、本実施形態では軟質プラスチック製の帯状部材を用いて構成され、板ばね２２と取付板２３との間にその基端部を挟みこんで本体２に相対回転可能に取り付けている。一方、本体２から所定距離下方にホック５１の雄部材５１ａを設けているとともに、先端部には、ホック５１の雌部材５１ｂを設けていて、帯状部材を折り曲げこのホック５１を係止することにより、ホック５１と帯状部材とで囲まれてできる空間Ｓに図示しない名札や携帯電話用ストラップ等の取付品を挿し通して固定するようにしている。
【００１６】
固定部３は、上述したように、押さえ板３１と本体２の側方に設けられた係合爪３２とを有する。より具体的には、図１〜６に示すように、押さえ板３１には、その基端部の左右両端縁に取付部３１ａを起立して１対設けていて、前記基板２１の押さえ板取付部２１ｘに取り付けるようにしている。一方、係合爪３２は、本体２の前記係合爪取付部２１ｙから下方に延ばして設けていて、前記押さえ板３１に設けた係合凹部３１ｘに係合させることによりクリップ１を閉止状態に維持固定させるようにしている。ここで、前記係合凹部３１ｘは、閉止状態において前記係合爪３２に対向する位置に設けている。さらに、本実施形態では、前記板ばね２２をより効果的に押さえ、閉止状態を維持できるようにするために、押さえ板の内面に押さえ凸部３１ｂを設けている。すなわち、閉止状態では、この押さえ凸部３１ｂが前記板ばね２２を押さえ、板ばね２２が開成状態に戻るのを防ぐようにしている。
【００１７】
しかして本実施形態では、この固定部３とは別に、上述したように前記係合爪３２を前記押さえ板３１から解離させる機能を有する解除部たるつまみ４を設けている。このつまみ４は、図３〜図６に示すように、本体の両側端縁に位置する前記係合爪取付部２１ｙから前記係合爪３２と反対側に延ばして設けている。そして、このつまみ４を本体２の基板２１に近寄せる方向に移動させると、前記係合爪３２が前記押さえ板３１から解離する方向に移動して前記係合爪３２と前記係合凹部３１ｘとの係合が解除され、板ばね２２の弾性力によりこのクリップ１は閉止状態から開成状態に変化する。すなわち、本実施形態では、このつまみ４はクリップ１の両側端縁部に１対設けられている。なお、本実施形態では、滑り止めのため、長手方向に直交する向きに延びる突条４１を設けているが、この突条４１は省略してもよい。
【００１８】
このクリップ１の装着は、開成状態にあるクリップ１の基板２１と取付板２３との間に取付対象が位置するようにし、それから押さえ板３１を前記基板２１に向けて押し込むようにして行う。すると、押さえ板３１が経過的に係合爪３２を退避させながら移動した後、係合爪３２が弾性により係合凹部３１ｘに係合する位置まで移動して閉止状態になり、クリップ１が取付対象に固定される。一方、このクリップ１の取り外しは、つまみ４を相寄る方向に操作して行う。すると、つまみ４を介して係合爪３２が押さえ板３１から解離する方向に移動し、押さえ板３１と係合爪３２との係合が解除される。そして、閉止状態が板ばね２２の弾性力により解除され、クリップ１は開成状態に変化して取付対象から取り外せるようになる。
【００１９】
このように、本実施形態では押さえ板３１と係合爪３２とを有する固定部３と別に、解除部たるつまみ４を両側端縁に設けているので、取り外しの操作を、クリップ１を動かないように固定する必要なく、つまみ４を相寄るように操作することにより行うようにすることができ、取り外し操作を簡単に行うことができる。さらに、このように取り外し操作を行うようにしているので、クリップが机等に当たって誤って外れてしまうことが起こりにくいようにできる。
【００２０】
また、固定部３を、前記押さえ板３１と前記係合爪３２とにより構成しているので、クリップ１を簡単な構成により閉止状態に維持固定できる。
【００２１】
さらに、前記本体２の一部を板ばね２２により構成しているので、固定部３による閉止状態を、この板ばね２２の弾性力により自然に解除するようにでき、取り外し作業をより簡単に行うことができる。
【００２２】
なお、本発明は上述した実施の形態に限られない。
【００２３】
例えば、本体に係合爪と連動するように構成した突起を設け、この突起を押すことにより係合爪を退避させて係合状態が解除されるような構成や、押さえ板に係合突起を設けるとともに、本体にこの係合突起に係合する係合凹部を設け、本体の端部に設けたつまみを互いに引き離して閉止状態を解除するような構成が考えられる。また、解除部を１箇所だけに設ける態様も考えられる。
【００２４】
さらに、板ばねを用いる代わりに、本体を基板と基板から突出して設けた移動板とを有するものとし、前記移動板を閉止状態と開成状態との間で移動可能なものとするとともに、少なくとも移動板を弾性を有するものとして自然状態で開成状態をなすようにし、解除部の操作により移動板が自らの持つ弾性力により開成状態に移るように構成したもの等も考えられる。
【００２５】
その他、本発明の趣旨を損ねない範囲でさまざまに変更してもよい。
【００２６】
【発明の効果】
クリップに、閉止状態を維持固定する固定部とは別にこの固定部による閉止状態を解除する機能を有する解除部を設けているので、固定部そのものを操作することなく閉止状態を解除できるとともに、取り外し操作をクリップを押さえながら行う必要をなくせるので、クリップの取り外し操作を簡単に行うようにすることができる。
【図面の簡単な説明】
【図１】本発明の一実施形態に係るクリップの閉止状態における正面図。
【図２】同実施形態に係るクリップの閉止状態における背面図。
【図３】同実施形態に係るクリップの閉止状態における側面図。
【図４】同実施形態に係るクリップの開成状態における側面図。
【図５】同実施形態に係るクリップの閉止状態における縦断面図。
【図６】同実施形態に係るクリップの開成状態における縦断面図。
【図７】図１におけるａ−ａ断面図。
【符号の説明】
１…クリップ
２…本体
２２…板ばね（移動板）
３…固定部
３１…押さえ板
３２…係合爪
４…つまみ（解除部）
【図１】
2004033244.tif 000003
【図２】
2004033244.tif 000004
【図３】
2004033244.tif 000005
【図４】
2004033244.tif 000006
【図５】
2004033244.tif 000007
【図６】
2004033244.tif 000008
【図７】
2004033244.tif 000009